(57)【要約】【課題】  収納スペースを確保すると共に、収納効率を上げることができ、使い勝手が良く、意匠性を損なわず、美観を保つことが出来る間仕切り部材を実現する。【解決手段】  間仕切り部材２は、収納家具５の少なくとも前面５ａ、側面５ｂ、及び背面５ｃのいずれかを覆う間仕切り部材であって、山面２ｄおよび谷面２ｅを形成する屏風形の正面部２ａと、正面部２ａに隣接して設けられたサイド部２ｂ、２ｃと、を備えることを特徴とする。【選択図】図１
2005207007.tif 000002
【特許請求の範囲】
【請求項１】
収納家具の少なくとも前面、側面、及び背面のいずれかを覆う間仕切り部材であって、山面および谷面を形成する屏風形の正面部と、前記正面部に隣接して設けられたサイド部と、を備えることを特徴とする間仕切り部材。
【請求項２】
収納家具の少なくとも前面、側面、及び背面のいずれかを覆う間仕切り部材であって、凸面及び／又は凹面を形成する波形の正面部と、前記正面部に隣接して設けられたサイド部と、を備えることを特徴とする間仕切り部材。
【請求項３】
収納家具の少なくとも前面、側面、及び背面のいずれかを覆う間仕切り部材であって、平面と凸面、平面と凹面、及び平面と山面、のいずれかにより形成される正面部と、前記正面部に隣接して設けられたサイド部と、を備えることを特徴とする間仕切り部材。
【請求項４】
請求項１から３のいずれかに記載した間仕切り部材であって、前記正面部に開閉可能な扉を備えたことを特徴とする間仕切り部材。
【請求項５】
請求項１から４のいずれかに記載した間仕切り部材であって、前記正面部及び／又は前記サイド部に、引き出し可能なワゴンを備えたことを特徴とする間仕切り部材。
【請求項６】
請求項１から５のいずれかに記載した間仕切り部材であって、前記谷面、前記凹面、又は前記凸面と該凸面との間の窪み部に、照明器具及び／又は棚を備えたことを特徴とする間仕切り部材。
【請求項７】
請求項１から６のいずれかに記載した間仕切り部材であって、前記正面部を面材とフレームとで構成し、前記面材は透明材又は半透明材から成り、前記フレームはアルミ材から成ることを特徴とする間仕切り部材。
【発明の詳細な説明】
【技術分野】
【０００１】
この発明は、例えばキッチン、ダイニング、リビング等の室内空間に設置される間仕切り部材に関する。
【背景技術】
【０００２】
従来から、キッチン、ダイニング、リビング等の室内空間には、戸棚等が付いたキッチン収納が載置されたり設置されたりしている。従来のキッチン収納は、室内の壁沿いに設置されるタイプのものが多い。また、例えばカウンタを有するタイプのキッチン収納を、キッチンとダイニング又はリビングとの間に設置して間仕切り代わりに使用している。このような従来技術の一例として、下記の特許文献１には、中央及び左右の三面から構成される家具の背面板において左右の二面が中央面に対して鈍角をなすように構成し、左右の二面の端部には連結用支柱を設け、背面板にキャスターを設けるようにしたことを特徴とする家具の背面板開示されている（特許文献１参照）。
【特許文献１】特開平０６−２９６５２５号公報（第２頁、第３図）
【発明の開示】
【発明が解決しようとする課題】
【０００３】
しかしながら、室内の壁沿い又はキッチンとダイニング等との間に間仕切り代わりに設置する上記従来のキッチン収納では、収納力を増やすためには、いくつものキッチン収納を横方向に並べて拡張していく方法しか採ることができない。したがって、冷蔵庫等の他のキッチンに載置すべき物体や扉や照明のスイッチ等があるために、キッチン収納を設置するための壁の面積が限られている室内では、壁沿いに設置されるキッチン収納の数に制限が生じ、キッチン収納の収納力に限界がある。キッチンとダイニング等との間に間仕切り代わりに設置されるキッチン収納の場合も、同様に、横方向に並べていくつものキッチン収納を拡張していくには、スペースに限界がある。
【０００４】
また、従来は、キッチンやダイニング等に載置されている、例えば古い冷蔵庫や収納庫等の見せたくない大型の物体を隠すための部材が無かった。このため、仕方なくキッチン等にこれらの大型の物体は載置されたままであり、見た目が悪く、意匠性が損なわれる原因となっている。
【０００５】
本発明は、上記問題に鑑み、収納スペースを確保すると共に、収納効率を上げることができ、使い勝手が良く、意匠性を損なわず美観を保つことが出来る間仕切り部材を実現することを課題とするものである。
【課題を解決するための手段】
【０００６】
本発明は上記課題を解決するために、収納家具の少なくとも前面、側面、及び背面のいずれかを覆う間仕切り部材であって、山面および谷面を形成する屏風形の正面部と、前記正面部に隣接して設けられたサイド部と、を備えることを特徴とする間仕切り部材を提供する。
【０００７】
また本発明は、収納家具の少なくとも前面、側面、及び背面のいずれかを覆う間仕切り部材であって、凸面及び／又は凹面を形成する波形の正面部と、前記正面部に隣接して設けられたサイド部と、を備えることを特徴とする間仕切り部材を提供する。
【０００８】
また本発明は、収納家具の少なくとも前面、側面、及び背面のいずれかを覆う間仕切り部材であって、平面と凸面、平面と凹面、及び平面と山面、のいずれかにより形成される正面部と、前記正面部に隣接して設けられたサイド部と、を備えることを特徴とする間仕切り部材を提供する。
【０００９】
前記間仕切り部材は、前記正面部に開閉可能な扉を備えることが好ましい。
【００１０】
前記間仕切り部材は、前記正面部及び／又は前記サイド部に、引き出し可能なワゴンを備えることが好ましい。
【００１１】
前記間仕切り部材は、前記谷面、前記凹面、又は前記凸面と該凸面との間の窪み部に、照明器具及び／又は棚を備えることが好ましい。
【００１２】
前記間仕切り部材は、前記正面部を面材とフレームとで構成し、前記面材は透明材又は半透明材から成り、前記フレームはアルミ材から成ることが好ましい。
【発明の効果】
【００１３】
以上の構成から成る本発明に係る間仕切り部材によると、収納スペースを確保すると共に、収納効率を上げることができ、使い勝手が良く、意匠性を損なわず美観を保つことが出来る。
【発明を実施するための最良の形態】
【００１４】
本発明に係る間仕切り部材を実施するための最良の形態を実施例に基づいて図面を参照して説明する。
【実施例１】
【００１５】
図１は、本発明の実施例１に係る間仕切り部材１、２が設置されたキッチンルーム３全体を示す模式的な斜視図であり、図２は、間仕切り部材１、２の上から見た平面図である。キッチンルーム３には、調理台６が設置されており、壁３ａ、３ａ’際には冷蔵庫４と収納家具５とが離れて載置されている。間仕切り部材１は、冷蔵庫４の側面４ｂ、及び前面４ａと背面４ｃとの一部を覆うように設置されている。また、間仕切り部材２は、収納家具５の側面５ｂ、及び前面５ａと背面５ｃとの一部を覆うように設置されている。
【００１６】
各間仕切り部材１、２はそれぞれ、正面部１ａ、２ａと、正面部１ａ、２ａの両側に隣接して設けられたサイド部１ｂ、１ｃ、２ｂ、２ｃとを備える。間仕切り部材４、５の各正面部１ａ、２ａは、山面１ｄ、２ｄ及び谷面１ｅ、２ｅを形成する屏風形に構成されている。間仕切り部材１のサイド部１ｂ、１ｃは、例えば、冷蔵庫４の２ヶ所の角部４ｄ、４ｅを囲むように構成されている。また、間仕切り部材２のサイド部２ｂ、２ｃは、例えば、収納家具５の２ヶ所の角部５ｄ、５ｅを囲むように構成されている。このような各間仕切り部材１、２の各サイド部１ｂ、１ｃ、２ｂ、２ｃは、図２に示されるように、上から見てＬ字形状に形成されている。
【００１７】
言い換えれば、間仕切り部材１、２は、図１に示されるように、屏風端部Ａと、屏風凹部Ｂと、屏風凸部Ｃとを備える。これらは、木材で造作してもよいが、以下のようにフレームと面材から構成するようにしてもよい。図１２から図１４にそれぞれ、屏風端部Ａ、屏風凹部Ｂ、及び屏風凸部Ｃの部分的な拡大された斜視図（図１２（ａ）図１３（ａ）図１４（ａ））と部分的な分解斜視図（図１２（ｂ）図１３（ｂ）図１４（ｂ））とを示す。
【００１８】
図１２に示されるように、屏風端部Ａは、端部縦枠１１と、横枠１２と、端部キャップ１３と、面材１４とが組み合わされて構成される。端部縦枠１１と、横枠１２と、端部キャップ１３とでフレームが構成される。これらのフレームは例えばアルミ材から成る。面材１４は、例えば樹脂等の透明材や半透明材から成る。
【００１９】
横枠１２と、端部キャップ１３には、例えばビス１５を貫通させるための穴１２ａ、１２ｂ、１３ａ、１３ｂが形成されている。端部縦枠１１には、穴１２ａ、１２ｂ、１３ａ、１３ｂを貫通したビス１５を嵌合させる嵌合部１６ａ〜１６ｄが設けられている。面材１４をフレームである端部縦枠１１と横枠１２との枠内にはめ込み、端部縦枠１１に、横枠１２と端部キャップ１３とを嵌合させて、ビス１５により固定する。これにより、屏風端部Ａの組立が完成する。
【００２０】
図１３に示されるように、屏風凹部Ｂは、凹部縦枠１７と、横枠１８、１９と、凹部キャップ２０と、面材１４とが組み合わされて構成される。凹部縦枠１７と、横枠１８、１９と、凹部キャップ２０とでフレームが構成される。屏風端部Ａと同様に、これらのフレームは例えばアルミ材から成り、面材１４は例えば樹脂等の透明材や半透明材から成る。
【００２１】
横枠１８、１９と、凹部キャップ２０には、例えばビス１５を貫通させるための穴１８ａ、１８ｂ、１９ａ、１９ｂ、２０ａが形成されている。凹部縦枠１７には、穴１８ａ、１８ｂ、１９ａ、１９ｂ、２０ａを貫通したビス１５を嵌合させる嵌合部２１ａ〜２１ｅが設けられている。面材１４をフレームである凹部縦枠１７と横枠１８、１９との枠内にはめ込み、凹部縦枠１７に、横枠１８、１９と凹部キャップ２０とを嵌合させて、ビス１５により固定する。これにより、屏風凹部Ｂの組立が完成する。
【００２２】
図１４に示されるように、屏風凸部Ｃは、凸部縦枠２２と、横枠２４、２５と、凸部キャップ２３と、面材１４とが組み合わされて構成される。凸部縦枠２２と、横枠２４、２５と、凸部キャップ２３とでフレームが構成される。屏風端部Ａと同様に、これらのフレームは例えばアルミ材から成り、面材１４は例えば樹脂等の透明材や半透明材から成る。
【００２３】
屏風凸部Ｃにおいても、同様に、横枠２５と、凸部キャップ２３には、例えばビス１５を貫通させるための穴２３ａ、２５ａ、２５ｂが形成されている（なお、横枠２４にも同様に穴が形成されているが、図１４（ｂ）では横枠２４及び穴の図示を省略している）。凸部縦枠２２には、穴２３ａ、２５ａ、２５ｂ等を貫通したビス１５を嵌合させる嵌合部２６ａ〜２６eが設けられている。面材１４をフレームである凸部縦枠２２と横枠２４、２５との枠内にはめ込み、凸部縦枠２２に、横枠２４、２５と凸部キャップ２３とを嵌合させて、ビス１５により固定する。これにより、屏風凸部Ｃの組立が完成する。
【００２４】
上述のように、屏風端部Ａと、屏風凹部Ｂと、屏風凸部Ｃとを備える間仕切り部材１、２のフレームを例えばアルミ材により構成することで、以下の効果が生じる。即ち、アルミ材は加工が容易であり、間仕切り部材１、２を構成するフレームから成る同一形態の部分を連続的に効率よく形成することができる。また、フレームの枠内に面材１４をはめ込む構成にするので、面材１４として種々の素材を選択することが可能となる。面材１４として例えば樹脂等から成る透明板を用いてもよい等、多様な意匠的表現を有する間仕切り部材１、２を形成することができる。
【００２５】
キッチンルーム３における間仕切り部材１、２の位置は、冷蔵庫４や収納家具５の載置位置に合わせて設置可能である。図２に示されるように、キッチンルーム３に間仕切り部材１、２を設置する際に、間仕切り部材１、２の壁３ａからの距離を、矢印ｇ１で示されるように自由に変更して設置できる。これにより、間仕切り部材１、２と壁３ａとで仕切られる空間、即ち、収納スペースの広さを自由に設定することができる。要するに、間仕切り部材１、２の設置位置により、キッチンスペース３の壁３ａに対して矢印ｇ１で示される奥行き方向の収納スペースの広さを、自由に変更することができる。したがって、奥行き方向の収納スペースを必要な広さだけ確保することができる。なお、図２では、図１で図示した冷蔵庫４と収納家具５との図示を省略している。
【００２６】
既に述べたように、間仕切り部材１、２の各正面部１ａ、２ａは、屏風形に構成されており、それぞれ、山面１ｄ、２ｄと谷面１ｅ、２ｅとを有する。このような間仕切り部材１、２の山面１ｄ、２ｄと調理台６との間は、矢印ｇ３で示される距離を有する。これに対して、間仕切り部材１、２の谷面１ｅ、２ｅと調理台６との間は、矢印ｇ２で示される距離を有し、矢印ｇ３で示される距離よりも大きい。つまり、間仕切り部材１、２の谷面１ｅ、２ｅによって調理台６との間に、凹部スペース７が形成されることとなり、この凹部スペース７を作業スペースとして利用することができる。凹部スペース７を作業スペースとして利用できるため、調理台６と間仕切り部材１、２との距離を従来の作業スペースよりも狭くして、キッチンスペースの効率的な利用をすることができる。
【００２７】
間仕切り部材１、２は、山面１ｄ、２ｄと谷面１ｅ、２ｅとを有する屏風形に構成されている。このため、例えば調理台６から間仕切り部材１、２を見た場合のように、正面部１ａ、２ａに対して真っ正面の方向（正面方向）から間仕切り部材１、２を見た場合、又は、正面部１ａ、２ａに対して斜めの方向（左右方向）から間仕切り部材１、２を見た場合のように、使用者の見る角度により間仕切り部材１、２に陰影が生じる。したがって、使用者の見る角度により間仕切り部材１、２の見え方が異なり、意匠表現の幅が広がる。これは、従来の平面的な単なる壁状の間仕切り又はついたてが一方向的な見え方しかできなかったことと比べて、意匠性がはるかに高い。
【００２８】
また、間仕切り部材１、２は、屏風形に構成されているため、間仕切り部材１、２を支える支持部材等を設ける必要がなく、それ自体で容易に立設することができる。この点、従来の平面的な壁状に形成された間仕切り又はついたてが、それ自体で立設することが難しいことと比べて、設置の際の作業効率を向上させることができる。
【００２９】
本発明の本実施例に係る屏風形の間仕切り部材１、２により、キッチンスペース等の室内を仕切ることができると共に、冷蔵庫４や収納家具５等の見せたくない大型の物体を覆って目隠しすることができる。さらに、間仕切り部材１、２自体の意匠性を損なわずに美観を確保することができる。
【００３０】
なお、本実施例の間仕切り部材１、２はそれぞれ、冷蔵庫４及び収納家具５の側面４ｂ、５ｂ及び前面４ａ、５ａと背面４ｃ、５ｃとの一部を覆うように設置されたが、少なくとも収納家具５等の前面、側面、及び背面のいずれかを覆っていればよい。
【００３１】
また、本実施例では、間仕切り部材１、２により、一例として冷蔵庫４及び収納家具５を覆っているが、これらに限られず、見せたくない大型の物体等、全ての物体が、間仕切り部材１、２により覆いたい収納家具に含まれる。
【００３２】
（変形例）
図３、図４は、実施例１の変形例に係る間仕切り部材３１、３２、３３、３４、３５、３６を示す模式的な斜視図である。間仕切り部材３１、３２、３３、３４、３５、３６は、実施例１の間仕切り部材１、２と同様に、収納家具の少なくとも前面、側面、及び背面のいずれかを覆う等、基本的な利用形態が類似するため、同一の部分及び効果については説明を省略する。
【００３３】
図３（ａ）に示される間仕切り部材３１の特徴は、凸面３１ｄ’を形成する波形の正面部３１ａと、正面部３１ａに隣接して設けられたサイド部３１ｂ、３１ｃと、を備えることである。より具体的には、正面部３１ａは、上から見た平面（断面）が略半円形状の略半円部３１ｄが隣接して連続的に並べられ構成されることにより、波形形状が形成されている。即ち、これらの略半円部３１ｄはそれぞれ、丸みを帯びた凸面３１ｄ’を有する。間仕切り部材３１を、このような丸みを帯びた凸面３１ｄ’を有する形状に構成することにより、ゴツゴツ感を無くして柔らかみを持たせることができる。したがって、間仕切り部材３１の凸面３１ｄ’に使用者の体が接触しても痛くなく、より安全である。
【００３４】
図３（ｂ）に示される間仕切り部材３２の特徴は、凹面３２ｄ’を形成する波形の正面部３２ａと、正面部３２ａに隣接して設けられたサイド部３２ｂ、３２ｃと、を備えることである。より具体的には、正面部３２ａは、上から見た平面（断面）が略半円形状の略半円部３２ｄが、隣接して連続的に並べられて構成されることにより、波形形状が形成されている。本変形例の間仕切り部材３２の略半円部３２ｄは、図３（ａ）に示した間仕切り部材３１の略半円部３１ｄとは逆方向の円弧を描く半円形状に形成されている。即ち、これらの略半円部３２ｄはそれぞれ、丸みを帯びた凹面３２ｄ’と、その間の尖った山部３２ｅとを有する。間仕切り部材３２を、このような丸みを帯びた凹面３２ｄ’と尖った山部３２ｅとを有する形状に構成することにより、指等が入りにくい細部が形成されず、掃除がし易いという効果が生じる。
【００３５】
図３（ｃ）に示される間仕切り部材３３の特徴は、凸面３３ｄ及び凹面３３ｅを形成する波形の正面部３３ａと、正面部３３ａに隣接して設けられたサイド部３３ｂ、３３ｃと、を備えることである。本変形例の間仕切り部材３３は、図３（ａ）で示した凸面３１ｄ’を形成する間仕切り部材３１の正面部３１ａと、図３（ｂ）で示した凹面３２ｄ’を形成する間仕切り部材３２の正面部３２ａとを組み合わせたものである。即ち、間仕切り部材３３の正面部３３ａは、丸みを帯びた凸面３３ｄと丸みを帯びた凹面３３ｅとを有する。間仕切り部材３３を、このような丸みを帯びた凸面３３ｄと丸みを帯びた凹面３３ｅとを有する形状に構成することにより、間仕切り部材３１及び３２を合わせた効果が生じる。
【００３６】
図４（ａ）に示される間仕切り部材３４の特徴は、凸面３４ｄ’及び平面３４ｅを形成する正面部３４ａと、正面部３４ａに隣接して設けられたサイド部３４ｂ、３４ｃと、を備えることである。さらに具体的には、本変形例の間仕切り部材３４では、正面部３４ａの中央に平面３４ｅが形成され、その両側に丸みを帯びた凸面３４ｄ’を有する略半円部３４ｄが形成されている。正面部３４ａに形成された平面３４ｅには、写真や絵等の額縁３４ｇを飾ることが可能である。また、平面３４ｅの下部には、引き出し３４ｆが設けられている。
【００３７】
このように正面部３４ａに平面３４ｅが形成された間仕切り部材３４を、例えばキッチンルームからダイニングルーム及びリビングルームへと続いて形成されている間取りの室内において、キッチンルームに設置すると、以下の効果が生じる。間仕切り部材３４の正面部３４ａに形成された平面３４ａをダイニングルーム及びリビングルームの方向に真っ直ぐに向ける（正対させる）ことができ、平面３４ｅに飾った額縁３４ｇをダイニングルーム及びリビングルームから容易に眺めることができる。
【００３８】
図４（ｂ）に示される間仕切り部材３５の特徴は、凹面３５ｄ’及び平面３５ｅを形成する正面部３５ａと、正面部３５ａに隣接して設けられたサイド部３５ｂ、３５ｃと、を備えることである。さらに具体的には、本変形例の間仕切り部材３５では、正面部３５ａの中央に丸みを帯びた凹面３５ｄ’を有する略半円部３５ｄが形成され、その両側に平面３５ｅが形成されている。本変形例の間仕切り部材３５においても、間仕切り部材３４と同様に、平面３５ｅに額縁等を飾ったり、引き出しを設けることが可能である。
【００３９】
図４（ｃ）に示される間仕切り部材３６の特徴は、平面３６ｅ及び山面を形成する正面部３６ａと、正面部３６ａに隣接して設けられたサイド部３６ｂ、３６ｃと、を備えることである。つまり、本変形例の間仕切り部材３６では、平面３６ｅと、平面３６ｅの両側に山面がそれぞれ隣接して正面部３６ａを形成している。平面３６ｅの両側にある一方の山面は、面３６ｄ及び面３６ｆから構成され、もう一方の山面は、面３６ｄ’及び面３６ｆ’から構成されている。要するに、本変形例の間仕切り部材３６では、正面部３６ａの中央は平面３６ｅで形成されている。そして、この平面３６ｅと、平面３６ｅの両側にそれぞれ隣接して形成された、面３６ｄ及び面３６ｆから成る山面と、面３６ｄ’及び面３６ｆ’から成る山面とで、正面部３６ａが形成されている。さらに、山面の一部を構成する面３６ｆに隣接してサイド部３６ｂが、山面の一部を構成する面３６ｆ’に隣接してサイド部３６ｃが形成されている。
【００４０】
このように間仕切り部材３６では、平面３６ｅの両側に山面がそれぞれ隣接して正面部３６ａを形成することにより、以下の効果を有する。平面３６ｅ及び各山面を構成する面の向き（方向）を複数の方向へ対面させることができる。つまり、本変形例においては、間仕切り部材３６を正面から見た場合、平面３６ｅが正面方向に対面している。そして、間仕切り部材３６を右斜め方向から見た場合には、山面の一部を構成する面３６ｄ’及び面３６ｆが対面する。さらに、間仕切り部材３６を左斜め方向から見た場合には、山面の一部を構成する他の面３６ｄ及び面３６ｆ’が対面する。要するに、平面３６ｅ及び各面３６ｄ、３６ｄ’、３６ｆ、３６ｆ’の向きは、平面３６ｅにより形成される正面方向と、面３６ｄ’、３６ｆにより形成される右側方向と、面３６ｄ、３６ｆ’により形成される左側方向と、の３方向へ対面している。平面３６ｅと、面３６ｄ、３６ｄ’、３６ｆ、３６ｆ’毎に、例えば色や柄を変えれば、平面３６ｅと、面３６ｄ、３６ｄ’、３６ｆ、３６ｆ’の向きによってその見え方が異なるため、意匠の表現方法を多彩にすることができ、美観を向上させることができる。
【００４１】
なお、上記に示した各変形例に係る間仕切り部材３１から３６は、単なる例示であり、間仕切り部材の正面部は、平面と凸面、平面と凹面、及び平面と山面のいずれかにより形成されていればよい。また、上記各変形例に係る間仕切り部材３１から３６の構成を適宜組み合わせることもできる。
【実施例２】
【００４２】
図５は、本発明の実施例２に係る間仕切り部材４１が設置されたキッチンルーム４３全体を示す模式的な斜視図であり、図６は、間仕切り部材４１が設置されたキッチンルーム４３を上から見た部分的な平面図である。また、図７は、間仕切り部材４１が設置されたキッチンルーム４３全体の他の利用形態を示す模式的な斜視図であり、図８は、間仕切り部材４１が設置されたキッチンルーム４３全体の他の利用形態を示す上から見た平面図である。本実施例の全体構成は、実施例１の全体構成と類似し、同一の構成部分には、同一の参照符号を付して説明及びその効果を省略する。
【００４３】
キッチンルーム４３には、調理台４６が設置されており、壁４３ａ、４３ａ’際には収納家具４４と収納家具５とが離れて載置されている。間仕切り部材４１は、収納家具４４の側面４４ｂと、収納家具５の側面５ｂを覆うように設置されている。
【００４４】
本実施例の間仕切り部材４１は、実施例１の間仕切り部材２と同様に、正面部４１ａ、と、正面部４１ａ両側に隣接して設けられたサイド部４１ｂ、４１ｃとを備える。また、間仕切り部材４１の正面部４１ａは、実施例１の間仕切り部材２の正面部３ａと同様に、山面４１ｄ及び谷面４１ｅを形成する屏風形に構成されている。間仕切り部材４１のサイド部４１ｂ、４１ｃは、収納家具５、４４の角部５ｄ、４４ｄを囲むことができるように構成されている（なお、図５、図６では、間仕切り部材４１のサイド部４１ｂ、４１ｃは、収納家具５、４４の側面５ｂ、４４ｂ端部に位置しており、角部５ｄ、４４ｄを囲んでいない）。
【００４５】
本実施例の間仕切り部材４１の特徴は、正面部４１ａに開閉可能な扉（ドア）４１ｆを備えたことである。扉４１ｆは、矢印ｇ４及びｇ５でそれぞれ示されるように、間仕切り部材４１の正面部４１ａの外側（調理台４６側）及び内側（収納家具５、４４側）に回動可能に構成されている。間仕切り部材４１の外側及び内側に扉４１ｆが回動している状態が図６の点線で示されている。
【００４６】
さらに本実施例の間仕切り部材４１の特徴は、扉４１ｆには、その内側（収納家具５、４４側）に収納部（収納棚）４１ｇが設けられていることである。つまり、扉４１ｆを外側へ開放した位置に、収納部（収納棚）４１ｇが配置されることとなる。したがって、扉４１ｆを外側（調理台４６側）に開放した状態においては、収納部（収納棚）４１ｇは、調理台４６の方向に向かって対面する。これにより、調理の際に収納部（収納棚）４１ｇの上に物を置くことができる等、収納部（収納棚）４１ｇを調理作業に利用することが容易にできる。
【００４７】
図５、図６に示すように、開閉可能な扉４１ｆを備える間仕切り部材４１を収納家具５、４４と共に設置することにより、収納家具５、４４と間仕切り部材４１とで仕切られた空間を収納スペース（空間）４７ａとして利用することができる。このような収納スペース４７ａは、扉４１ｆを閉めた状態では、調理台６のあるキッチンスペース４７ｂ側から見えない。したがって、実施例１と同様に、調理台６のあるキッチンスペース４７ｂ側から見た間仕切り部材４１の意匠性が損なわれず、美観が確保される。
【００４８】
また、見せたくない収納物や物体を収納スペース４７ａ内に置いておくことができると共に、扉４１ｆを開閉して容易にこの収納物や物体を取り出すことができ、利便性が高まる。
【００４９】
さらに、調理台６のあるキッチンスペース４７ｂ側から見た間仕切り部材４１の外側４１ｈの面材は、意匠性の高い材質で作製し、収納スペース４７ａ側や収納家具５、４４が載置されている側から見た間仕切り部材４１の内側４１ｉの面材は、安価な材質（例えば単一色の材質）で作製してもよい。これにより、間仕切り部材４１の製造費を軽減することができる。
【００５０】
また、図７、図８に示すように、本実施例の間仕切り部材４１を収納家具４５と共に設置することにより、さらに他の利用形態に供することができる。収納家具４５は、背面４５ｃ及び前面４５ａにそれぞれ引き出すことができる収納戸棚４５ｆ、４５ｇが設けられている。間仕切り部材４１の扉４１ｆを開いて、収納家具４５の背面４５ｃに設けられた収納戸棚４５ｇを引き出すと、図７、図８に示されるように、収納スペース４７ａ内で収納戸棚４５ｇが飛び出した状態となる。そして、収納戸棚４５ｇに収納されている収納物を容易に取り出すことができる。
【００５１】
またこのように、収納スペース４７ａ内で引き出すタイプの収納戸棚４５ｇを引き出した状態のままにしても、間仕切り部材４１の扉４１ｆを閉めれば、外側のキッチンスペース４７ｂから見えない。したがって、収納スペース４７ａ内で収納戸棚４５ｇを引き出した状態のまま、外側のキッチンスペース４７ｂから見た美観を損なうことなく、使用することができ、使い勝手がよい。
【００５２】
さらにまた、扉４１ｆを開放すれば、引き出した収納戸棚４５ｇ全体を見ることができるので、視認性がよい。
【００５３】
さらにまた、間仕切り部材４１を、キッチンルーム４３の壁４３ａに対して手前に移動させて設置することにより、奥行き方向に収納スペースを確保することができる。したがって、本実施例では奥行き方向に２脚並べられて載置されている収納家具４５を、図８の点線で示されるように、さらに２脚の収納家具４５’を奥行き方向に並べて利用することが可能である。よって、壁４３ａの面積が限られているキッチンルームの場合でも、容易に収納スペースを効率よく拡大することができる。
【実施例３】
【００５４】
図９は、本発明の実施例３に係る間仕切り部材５１が設置されたキッチンルーム５３全体を示す模式的な斜視図であり、図１０は、間仕切り部材５１を上から見た平面図である。キッチンルーム５３には、調理台５６が設置されている。
【００５５】
本実施例の間仕切り部材５１は、実施例２の間仕切り部材２と類似の構成を備えており、同一の構成部分についての詳細な説明は省略する。間仕切り部材５１は、正面部５１ａと、正面部５１ａ両側に隣接して設けられたサイド部５１ｂ、５１ｃとを備える。間仕切り部材５１の正面部５１ａは、実施例１、２の間仕切り部材２、４１の正面部２ａ、４１ａと同様に、山面５１ｄ及び谷面５１ｅを形成する屏風形に構成されている。さらに、本実施例の間仕切り部材５１は、実施例２の間仕切り部材２と同様に、正面部５１ａに開閉可能な扉（ドア）５１ｆが備えられている。扉５１ｆは、実施例２と同様に、矢印ｇ４で示されるように、間仕切り部材５１の正面部５１ａの外側（調理台５６側）及び、矢印ｇ５で示されるように内側（収納側）に回動可能に構成されている。間仕切り部材５１の外側及び内側に扉５１ｆが回動している状態が図１０の点線で示されている。
【００５６】
扉５１ｆには、実施例２と同様に、その内側に収納部（収納棚）５１ｇが設けられている。したがって、扉５１ｆは外側（調理台５６側）に開放した状態において、調理台５６に向かって対面し、収納部（収納棚）５１ｇを調理作業に利用することが容易にできる。
【００５７】
本実施例の間仕切り部材５１の特徴の一つは、正面部５１ａ及びサイド部５１ｃに引き出し可能なワゴン５１ｈを備えたことである。ワゴン５１ｈは、矢印ｇ６で示すように正面部５１ａ手前方向に引き出し可能である。ワゴン５１ｈの正面５１ｉは、屏風形状に形成された間仕切り部材５１の正面部５１ａを利用している。具体的には、実施例１の図１２で説明した屏風端部Ａと同様に、間仕切り部材５１は屏風端部Ａを有する。この屏風端部Ａを含んで、ワゴン５１ｈの正面５１ｉが形成されている。そして、屏風端部Ａの仕舞いの形状、即ち、屏風端部Ａにおいて調理台５６側の正面に向かって平面となる部分（サイド部５１ｃに対して直角となる面）５１ｎと屏風角度を有する面５１ｐとが交差する交差部５１ｊが、ワゴン５１ｈを引き出すための取っ手の役割を兼ねている。
【００５８】
間仕切り部材５１のサイド部５１ｃは、図９、図１０に示されるように、コの字状に構成されており、ワゴン５１ｈを収納できるようになっている。なお、ワゴン５１ｈの下部には車輪５１ｋが設けられており、ワゴン５１ｈを移動させ易くなっている。
【００５９】
なお本実施例では、間仕切り部材５１の正面部５１ａ及びサイド部５１ｃにワゴン５１ｈを備えたが、正面部５１ａのみ、又はサイド部５１ｃ、５１ｂのみにワゴン５１ｈを設けることも考えられる。
【００６０】
本実施例の間仕切り部材５１では、ワゴン５１ｈを引き出し、かつ、扉５１ｆを開放した状態において、ワゴンの上面５１ｑの高さが扉に設けられた収納部（収納棚）５１ｇの高さと同じに形成されている。したがって、ワゴンの上面５１ｑと扉５１ｆの収納部（収納棚）５１ｇとを連続的に組み合わせた収納台として利用することができる。これにより、作業時において、ワゴンの上面５１ｑと扉５１ｆの収納部（収納棚）５１ｇとを組み合わせて作業台として広く利用することができ、作業効率及び利便性が高まる。
【００６１】
本実施例のように間仕切り部材５１がワゴン５１ｈを備えることにより、さらに以下の効果を有する。ワゴン５１ｈの正面５１ｉに屏風形状の正面部５１ａを利用しているため、意匠性が損なわれず、美観が保たれる。また、屏風端部Ａの交差部５１ｊがワゴン５１ｈの取っ手の役割を兼ねるので、意匠性が保つことができると共に、取っ手を別途設ける必要が無く、部品点数を増やさずに済み製造費用を軽減することができる。
【００６２】
また本実施例の間仕切り部材５１には、収納側（裏側）５２に大型収納部（大型収納棚）５１ｍが設けられている。大型収納部（大型収納棚）５１ｍは、間仕切り部材５１の収納側５２において、間仕切り部材５１のサイド部５１ｂから正面部５１ａへと連続する棚状に設けられている。このような間仕切り部材５１に設けられた大型収納部（大型収納棚）５１ｍは、キッチンルーム５３の調理台５６側からは見えない。したがって、大型収納部（大型収納棚）５１ｍを備えた間仕切り収納部５１を収納庫として有効に利用することができる。
【実施例４】
【００６３】
図１１は、本発明の実施例４に係る間仕切り部材６１が設置されたキッチンルーム６３全体を示す模式的な図である。キッチンルーム６３には、調理台６６が設置されている。本実施例の間仕切り部材６１は、実施例２の間仕切り部材４１（図５参照）と類似し、同一の部分については、詳しい説明を省略する。本実施例の間仕切り部材６１は、実施例２の間仕切り部材４１ａと同様に、正面部６１ａと、正面部６１ａ両側に隣接して設けられたサイド部とを備える。間仕切り部材６１の正面部６１ａは、実施例２の間仕切り部材４１ａと同様に、山面６１ｄ及び谷面６１ｅを形成する屏風形に構成されている。さらに、本実施例の間仕切り部材６１は、実施例２の間仕切り部材４１と同様に、正面部６１ａに開閉可能な扉（ドア）６１ｆが備えられている。
【００６４】
本実施例の間仕切り部材６１の特徴は、正面部６１ａに形成された谷面６１ｅに照明器具６１ｆ及び棚６１ｇを備えたことである。このように間仕切り部材６１の正面部６１ａの谷面６１ｅに照明器具６１ｆ及び棚６１ｇを設けることにより、以下の効果を有する。間仕切り部材６１に形成された谷面６１ｅに照明器具６１等を設けるので、照明器具６１等が間仕切り部材６１の山面６１ｄからさらに飛び出すことがなく、すっきりと収めることができる。そして、このような間仕切り部材６１を設置した場合、例えば間仕切り部材６１と調理台６６との間の通路に、間仕切り部材６１に設けられた照明器具６１等が飛び出すことがないので、通行の邪魔（障害物）にならない。よって、機能性と意匠性とが共に高められる。
【００６５】
なお、本実施例のように山面６１ｄ及び谷面６１ｅを形成する屏風形に構成された間仕切り部材６１に限られない。つまり、例えば凹面３２ｄ’又は凸面３１ｄ’が形成された間仕切り部材３２、３１のように、既に述べた上記各実施例１から３及び変形例のような間仕切り部材１、２、３１、３２、３３、３４、３５、３６、４１、５１に、照明器具６１ｆ及び棚６１ｇを設けることにしてもよい。また、本実施例では、照明器具６１ｆ及び棚６１ｇの双方を備えたが、どちらか一方を備えることにしてもよい。
【００６６】
以上、本発明に係る間仕切り部材の最良の形態を実施例に基づいて説明したが、本発明は特にこのような実施例に限定されることなく、特許請求の範囲記載の技術的事項の範囲内でいろいろな実施例があることはいうまでもない。
【産業上の利用可能性】
【００６７】
本発明の活用例として、キッチン、ダイニング、リビングに限られず、廊下や他の室内に載置して室内空間を間仕切りする他、収納スペースを形成したり、見せたくないものを隠す目隠し部材としても活用可能である。
【図面の簡単な説明】
【００６８】
【図１】本発明の実施例１に係る間仕切り部材が設置されたキッチンルーム全体を示す模式的な斜視図である。である。
【図２】本発明の実施例１に係る間仕切り部材の上から見た平面図である。
【図３】実施例１の変形例に係る間仕切り部材を示す模式的な斜視図である。
【図４】実施例１の変形例に係る間仕切り部材を示す模式的な斜視図である。
【図５】本発明の実施例２に係る間仕切り部材が設置されたキッチンルーム全体を示す模式的な斜視図である。
【図６】本発明の実施例２に係る間仕切り部材が設置されたキッチンルームを上から見た部分的な平面図である。
【図７】本発明の実施例２に係る間仕切り部材が設置されたキッチンルーム全体の他の利用形態を示す模式的な斜視図である。
【図８】本発明の実施例２に係る間仕切り部材が設置されたキッチンルーム全体の他の利用形態を示す上から見た平面図である。
【図９】本発明の実施例３に係る間仕切り部材が設置されたキッチンルーム全体を示す模式的な斜視図である。
【図１０】本発明の実施例３に係る間仕切り部材を上から見た平面図である。
【図１１】図１１は、本発明の実施例４に係る間仕切り部材が設置されたキッチンルーム全体を示す模式的な図である。
【図１２】図１２（ａ）は、屏風端部Ａの部分的な拡大された斜視図であり、図１２（ｂ）は、屏風端部Ａの部分的な分解斜視図である。
【図１３】図１３（ａ）は、屏風凹部Ｂの部分的な拡大された斜視図であり、図１３（ｂ）は、屏風凹部Ｂの部分的な分解斜視図である。
【図１４】図１４（ａ）は、屏風凸部Ｃの部分的な拡大された斜視図であり、図１４（ｂ）は、屏風凸部Ｃの部分的な分解斜視図である。
【符号の説明】
【００６９】
１、２、３１、３２、３３、３４、３５、３６、４１、５１、６１    間仕切り部材
１ａ、２ａ、３１ａ、３２ａ、３３ａ、３４ａ、３５ａ、３６ａ、４１ａ、５１ａ、６１ａ    正面部
１ｂ、１ｃ、２ｂ、２ｃ、３１ｂ、３１ｃ、３２ｂ、３２ｃ、３３ｂ、３３ｃ、３４ｂ、３４ｃ、３５ｂ、３５ｃ、３６ｂ、３６ｃ、４１ｂ、４１ｃ、５１ｂ、５１ｃ    サイド部
１ｄ、２ｄ、４１ｄ、５１ｄ、６１ｄ    山面
１ｅ、２ｅ、４１ｅ、５１ｅ、６１ｅ    谷面
４ｄ、４ｅ、５ｄ、５ｅ、４４ｄ    角部
３、４３、５３、６３    キッチンルーム
３ａ、３ａ’４３ａ、４３ａ’    壁
４    冷蔵庫
５、４４、４５、４５’    収納家具
４ａ、５ａ、４５ａ    前面
４ｂ、５ｂ、４４ｂ    側面
４ｃ、５ｃ、４５ｃ    背面
６、４６、５６、６６    調理台
７    凹部スペース
１１    端部縦枠
１２、１８、１９    横枠
１２ａ、１２ｂ、１３ａ、１３ｂ、１８ａ、１８ｂ、１９ａ、１９ｂ、２０ａ、２３ａ、２５ａ、２５ｂ、    穴
１３    端部キャップ
１４    面材
１５    ビス
１６ａ〜１６ｄ、２１ａ〜２１ｃ、２６ａ〜２６ｅ    嵌合部
１７    凹部縦枠
２０    凹部キャップ
２２    凸部縦枠
２３    凸部キャップ
３１ｄ、３２ｄ、３４ｄ、３５ｄ    略半円部
３１ｄ’、３３ｄ、３４ｄ’    凸面
３２ｄ’３３ｅ、３５ｄ’    凹面
３２ｅ    山部
３４ｅ、３５ｅ、３６ｅ    平面
３６ｄ、３６ｆ、３６ｄ’、３６ｆ’    面
４１ｆ、５１ｆ、６１ｆ    扉
４１ｇ、５１ｇ    収納部（収納棚）
４１ｈ    外側
４１ｉ    内側
４５ｆ、４５ｇ    収納戸棚
４７ａ    収納スペース
４７ｂ    キッチンスペース
５１ｈ    ワゴン
５１ｉ    正面
５１ｎ    正面に向かって平面となる部分
５１ｐ    屏風角度を有する面
５１ｊ    交差部
５１ｋ    車輪
５１ｑ    上面
５１ｍ    大型収納部（大型収納棚）
６１ｆ    照明器具
６１ｇ    棚
【図１】
2005207007.tif 000003
【図２】
2005207007.tif 000004
【図３】
2005207007.tif 000005
【図４】
2005207007.tif 000006
【図５】
2005207007.tif 000007
【図６】
2005207007.tif 000008
【図７】
2005207007.tif 000009
【図８】
2005207007.tif 000010
【図９】
2005207007.tif 000011
【図１０】
2005207007.tif 000012
【図１１】
2005207007.tif 000013
【図１２】
2005207007.tif 000014
【図１３】
2005207007.tif 000015
【図１４】
2005207007.tif 000016